(57)【要約】【課題】  二重あごを改善することができる美容マスクを提供する。【解決手段】  布１製の美容マスクであって、あご全体を被覆するためのあご被覆部２と、あご被覆部２に連設されてあご被覆部２をあごに密着させるために頭頂部に掛止する頭頂掛止部３と、後頭部に掛止させる後頭部掛止部４を、有する。頭頂掛止部３が、全体の上下長さ寸法Ｈを調節可能な上調節バンド５から成る。後頭部掛止部４が、全体の水平方向外周長さ寸法を調節可能な後ろ調節バンド10から成る。【選択図】  図３
0003111252.tif 000002
【実用新案登録請求の範囲】
【請求項１】
布（１）製の美容マスクであって、あご（Ｊ）全体を被覆するためのあご被覆部（２）を有することを特徴とする美容マスク。
【請求項２】
布（１）製の美容マスクであって、あご（Ｊ）全体を被覆するためのあご被覆部（２）と、該あご被覆部（２）に連設されて該あご被覆部（２）をあご（Ｊ）に密着させるために頭頂部（Ｔ）に掛止する頭頂掛止部（３）を、有することを特徴とする美容マスク。
【請求項３】
布（１）製の美容マスクであって、あご（Ｊ）全体を被覆するためのあご被覆部（２）と、該あご被覆部（２）に連設されて該あご被覆部（２）をあご（Ｊ）に密着させるために頭頂部（Ｔ）に掛止する頭頂掛止部（３）を、有し、該頭頂掛止部（３）が、全体の上下長さ寸法（Ｈ）を調節可能な上調節バンド（５）から成ることを特徴とする美容マスク。
【請求項４】
布（１）製の美容マスクであって、あご（Ｊ）全体を被覆するためのあご被覆部（２）と、該あご被覆部（２）に連設されて該あご被覆部（２）をあご（Ｊ）に密着させるために頭頂部（Ｔ）に掛止する頭頂掛止部（３）と、後頭部（Ｋ）に掛止させる後頭部掛止部（４）を、有し、上記頭頂掛止部（３）が、全体の上下長さ寸法（Ｈ）を調節可能な上調節バンド（５）から成り、上記後頭部掛止部（４）が、全体の水平方向外周長さ寸法（Ｌ）を調節可能な後ろ調節バンド（10）から成ることを特徴とする美容マスク。
【請求項５】
上記布（１）が、ゴムフィルム層を含む複数の積層構造として伸縮性を備えている請求項１，２，３又は４記載の美容マスク。
【考案の詳細な説明】
【技術分野】
【０００１】
本考案は、美容マスクに関する。
【背景技術】
【０００２】
一般に、顔のしわやたるみを改善するために、入浴時や入浴後に、又は、それ以外の時に、美容マスクを使用する。
【０００３】
しかし、従来の美容マスクは、あごの一部（前面部）のみを被覆する構成であり、二重あごを改善するという効果はなかった。
【考案の開示】
【考案が解決しようとする課題】
【０００４】
解決しようとする課題は、二重あごを改善できない点である。
【課題を解決するための手段】
【０００５】
そこで、本考案に係る美容マスクは、布製の美容マスクであって、あご全体を被覆するためのあご被覆部を有するものである。
また、布製の美容マスクであって、あご全体を被覆するためのあご被覆部と、該あご被覆部に連設されて該あご被覆部をあごに密着させるために頭頂部に掛止する頭頂掛止部を、有するものである。
また、布製の美容マスクであって、あご全体を被覆するためのあご被覆部と、該あご被覆部に連設されて該あご被覆部をあごに密着させるために頭頂部に掛止する頭頂掛止部を、有し、該頭頂掛止部が、全体の上下長さ寸法を調節可能な上調節バンドから成るものである。
【０００６】
また、布製の美容マスクであって、あご全体を被覆するためのあご被覆部と、該あご被覆部に連設されて該あご被覆部をあごに密着させるために頭頂部に掛止する頭頂掛止部と、後頭部に掛止させる後頭部掛止部を、有し、上記頭頂掛止部が、全体の上下長さ寸法を調節可能な上調節バンドから成り、上記後頭部掛止部が、全体の水平方向外周長さ寸法を調節可能な後ろ調節バンドから成るものである。
また、上記布が、ゴムフィルム層を含む複数の積層構造として伸縮性を備えているものである。
【考案の効果】
【０００７】
本考案の美容マスクによれば、二重あごを改善することができる。
【考案を実施するための最良の形態】
【０００８】
図１・図２は、本考案の実施の一形態の使用状態を示す。この美容マスクＭは、布１製であって、二重あごを改善するために、入浴時や入浴後等に（例えば、15分〜20分間）使用される。上記布１は、例えば、ネオプレンラバーから成るゴムフィルム層（図示省略）を含む複数の積層構造として伸縮性を備えている。
【０００９】
図３〜図５に示すように、美容マスクＭは、あごＪ全体を被覆するためのあご被覆部２と、あご被覆部２に連設されてあご被覆部２をあごＪに密着させるために頭頂部Ｔに掛止する頭頂掛止部３と、後頭部Ｋに掛止させる後頭部掛止部４を、有する。図４の２点鎖線は、人体（頭部）を示す。
【００１０】
頭頂掛止部３は、全体の上下長さ寸法Ｈを調節可能な上調節バンド５から成る。上調節バンド５の調節構造を、図６〜図９に示す。すなわち、図６は全体の上下長さ寸法Ｈが長くなるように調節した状態を示し、図７は全体の上下長さ寸法Ｈが図６に示す状態よりも短くなるように調節した状態を示す。図８は図６のＡ−Ａ端面断面図を示す。図９は図７のＢ−Ｂ端面断面図を示す。
【００１１】
具体的には、上調節バンド５は、長手方向に並設された複数の係止孔部６を有するバンド部７と、係止孔部６に係脱自在な樹脂製係止片８を有する係止部９から成る。バンド部７と係止部９は、一方が左側から延設され、他方が右側から延設されて、バンド部７と係止部９を相互に係止した状態に於て、頭頂部ＴとあごＪをつなぐループが形成されるように構成されている。係止片８を所望の係止孔部６に係止させることにより、全体の上下長さ寸法Ｈ（上記ループ長さ）を調節することができる。
【００１２】
図３〜図５に示すように、後頭部掛止部４は、全体の水平方向外周長さ寸法Ｌを調節可能な後ろ調節バンド10から成る。後ろ調節バンド10の構成は、上調節バンド５と同様の構成とされている。
【００１３】
なお、本考案の美容マスクを、40歳〜65歳の16名の女性に２〜３週間使用してもらったところ、16名中16名に二重あごの改善が見られた。
本考案は、設計変更可能であって、例えば、布１のゴムフィルム層の両面にチタンをコーティングするのが好ましい。この場合、チタンによって血行がより促進される。また、ゴムフィルム層は、ネオプレンラバー以外のゴムから成るも良い。
【００１４】
以上のように、本考案は、布１製の美容マスクであって、あごＪ全体を被覆するためのあご被覆部２を有するので、発汗作用によって余分な水分を出し、かつ、保温力で血行を良くし、二重あごを改善することができる。特に、あごの一部分のみを被覆する場合と比較して、二重あごの改善効果が高い。また、何度でも繰り返し使用することができる。
【００１５】
また、布１製の美容マスクであって、あごＪ全体を被覆するためのあご被覆部２と、あご被覆部２に連設されてあご被覆部２をあごＪに密着させるために頭頂部Ｔに掛止する頭頂掛止部３を、有するので、発汗作用によって余分な水分を出し、かつ、保温力で血行を良くし、二重あごを改善することができる。また、あごに適切にフィットさせることができ、上記発汗作用や血行促進作用がより発揮される。特に、あごの一部分のみを被覆する場合と比較して、二重あごの改善効果が高い。また、何度でも繰り返し使用することができる。
【００１６】
また、布１製の美容マスクであって、あごＪ全体を被覆するためのあご被覆部２と、あご被覆部２に連設されてあご被覆部２をあごＪに密着させるために頭頂部Ｔに掛止する頭頂掛止部３を、有し、頭頂掛止部３が、全体の上下長さ寸法Ｈを調節可能な上調節バンド５から成るので、発汗作用によって余分な水分を出し、かつ、保温力で血行を良くし、二重あごを改善することができる。また、あごに適切にフィットさせることができ、上記発汗作用や血行促進作用がより発揮される。さらに、容易に全体の上下長さ寸法を調節することができる。特に、あごの一部分のみを被覆する場合と比較して、二重あごの改善効果が高い。また、何度でも繰り返し使用することができる。
【００１７】
また、布１製の美容マスクであって、あごＪ全体を被覆するためのあご被覆部２と、あご被覆部２に連設されてあご被覆部２をあごＪに密着させるために頭頂部Ｔに掛止する頭頂掛止部３と、後頭部Ｋに掛止させる後頭部掛止部４を、有し、頭頂掛止部３が、全体の上下長さ寸法Ｈを調節可能な上調節バンド５から成り、後頭部掛止部４が、全体の水平方向外周長さ寸法Ｌを調節可能な後ろ調節バンド10から成るので、発汗作用によって余分な水分を出し、かつ、保温力で血行を良くし、二重あごを改善することができる。また、あごに適切にフィットさせることができ、上記発汗作用や血行促進作用がより発揮される。さらに、容易に全体の上下長さ寸法及び水平方向外周長さ寸法を調節することができる。特に、あごの一部分のみを被覆する場合と比較して、二重あごの改善効果が高い。また、何度でも繰り返し使用することができる。
【００１８】
また、布１が、ゴムフィルム層を含む複数の積層構造として伸縮性を備えているので、密着性が良い。特に、個人差のあるひとりひとりのあごの形状に対応してフィットするので、二重あごの改善効果が高く、着用感も良い。
【図面の簡単な説明】
【００１９】
【図１】本考案の実施の一形態の使用状態を示す正面図である。
【図２】使用状態を示す側面図である。
【図３】正面図である。
【図４】側面図である。
【図５】平面図である。
【図６】要部拡大平面図である。
【図７】要部拡大平面図である。
【図８】図６のＡ−Ａ断面正面図である。
【図９】図７のＢ−Ｂ断面側面図である。
【符号の説明】
【００２０】
１  布
２  あご被覆部
３  頭頂掛止部
４  後頭部掛止部
５  上調節バンド
10  後ろ調節バンド
Ｈ  上下長さ寸法
Ｊ  あご
Ｋ  後頭部
Ｌ  水平方向外周長さ寸法
Ｔ  頭頂部
【図１】
0003111252.tif 000003
【図２】
0003111252.tif 000004
【図３】
0003111252.tif 000005
【図４】
0003111252.tif 000006
【図５】
0003111252.tif 000007
【図６】
0003111252.tif 000008
【図７】
0003111252.tif 000009
【図８】
0003111252.tif 000010
【図９】
0003111252.tif 000011